(57)【要約】【課題】状況に応じて筒状体の長さを調整して、綺麗なカールを効率的に付与することができると共に、筒状体の内部の洗浄が容易な毛髪保持具を提供すること。【解決手段】一端部２１の開口部から他端部２２の開口部に向けて毛髪束を挿通可能にシート２３Ａ，２３Ｂにより構成された筒状体２からなる毛髪保持具１であって、前記筒状体２は、複数個の短筒片３が、それらを連結する連結機構３１により長手方向に連結されて形成されている。【選択図】図１
2006000148.tif 000002
【特許請求の範囲】
【請求項１】
一端部の開口部から他端部の開口部に向けて毛髪束を挿通可能にシートにより構成された筒状体からなる毛髪保持具であって、
前記筒状体は、複数個の短筒片が、それらを連結する連結機構により長手方向に連結されて形成されている毛髪保持具。
【請求項２】
前記連結機構は、隣接する前記短筒片間のミシン目である請求項１記載の毛髪保持具。
【請求項３】
前記連結機構は、前記短筒片の長手方向端部に設けられた着脱自在な機械的係合機構である請求項１記載の毛髪保持具。
【請求項４】
前記連結機構は、前記短筒片とは別体な該短筒片の表面に着脱自在な連結テープである請求項１記載の毛髪保持具。
【請求項５】
複数個の前記筒状体が長手方向に連結されて長尺筒体を形成している請求項１〜４の何れかに記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１には、「一端部の開口部から他端部の開口部に向けて毛髪束を挿通可能にシートにより構成された筒状体からなる毛髪保持具」が記載されている。このような毛髪保持具によれば、筒状体に毛髪束を挿通して筒状体を巻回することにより、毛髪束を所定の形状に巻回することができ、そのため、簡便な操作で個人でも手軽に毛髪にカールを付与することができる。下記特許文献２〜４にも同様の技術が開示されている。
【０００３】
【特許文献１】特開２００４−５７２５６号公報
【特許文献２】特開２００３−３１９８１５号公報
【特許文献３】特開２００３−３１９８１４号公報
【特許文献４】特開２００３−１１１６１２号公報
【発明の開示】
【発明が解決しようとする課題】
【０００４】
しかし、カール対象の毛髪は個人々々により又は頭髪の部位により長さが異なるのに対し、特許文献１〜４記載の毛髪保持具においては、筒状体の長さが一定であるため、筒状体は長い毛髪に対応した長さとなっている。そのため、例えば、短い頭髪に対し、それよりも十分に長い筒状体からなる毛髪保持具を使用すると、筒状体の長さに余り部分が生じ、毛髪束の巻径がばらつき、パーマ処理剤等の毛髪処理剤にロスが生じるという問題がある。また、長さが長い筒状体においては、その内部の洗浄が困難であった。
【０００５】
従って、本発明の目的は、状況に応じて筒状体の長さを調整して、綺麗なカールを効率的に付与することができると共に、筒状体の内部の洗浄が容易な毛髪保持具を提供することにある。
【課題を解決するための手段】
【０００６】
本発明は、一端部の開口部から他端部の開口部に向けて毛髪束を挿通可能にシートにより構成された筒状体からなる毛髪保持具であって、前記筒状体は、複数個の短筒片が、それらを連結する連結機構により長手方向に連結されて形成されている毛髪保持具を提供することにより前記目的を達成したものである。
【発明の効果】
【０００７】
本発明の毛髪保持具によれば、状況に応じて筒状体の長さを調整して、綺麗なカールを効率的に付与することができると共に、筒状体の内部の洗浄が容易である。
【発明を実施するための最良の形態】
【０００８】
以下、本発明の毛髪保持具を、その好ましい第１実施形態について、図１を参照して説明する。
本実施形態の毛髪保持具１は、図１に示すように、一端部２１の開口部から他端部２２の開口部に向けて毛髪束を挿通可能にシート２３Ａ，２３Ｂにより構成された筒状体２からなる毛髪保持具１であって、前記筒状体２は、複数個の短筒片３が、それらを連結する連結機構３１により長手方向に連結されて形成されている。
【０００９】
本実施形態の毛髪保持具１について詳述する。本実施形態の毛髪保持具１においては、筒状体２は、図１（ａ）に示すように、一端部２１及び他端部２２にそれぞれ開口部を有する扁平形状であり、２枚の矩形状のシート２３Ａ，２３Ｂを、その長手方向に沿う側端部２４，２４同士を接合させて形成されている。筒状体２の幅は、挿入する毛髪束の量等に応じて適宜選択される。
【００１０】
筒状体２を構成するシート２３Ａ、２３Ｂとしては、各種可撓性材料が用いられる。その可撓性材料としては、不織布、織物、編み物、多孔性若しくは非多孔性の樹脂フィルム、紙、樹脂ネット又はこれらの複合体等が挙げられ、具体的用途に応じて適切な材料が選択される。
例えば、筒状体２内に挿入された状態の毛髪に対して筒状体２の外部から毛髪処理剤を施したいときには、該毛髪処理剤に対して透過性を有する材料を用いればよい。挿入されている毛髪のみに毛髪処理剤を施したいときには、該毛髪処理剤に対して非透過性を有する材料を用いればよい。本実施形態においては、筒状体２の外部から毛髪処理剤を施すため、毛髪処理剤に対して透過性を有する不織布が用いられている。
【００１１】
シート同士の接合には、ヒートシール、超音波シール、接着剤、粘着テープ、縫製等が用いられ、本実施形態においては、ヒートシールにより接合されている。
シートの厚みは、特に限定されないが、好ましくは５μｍ〜５００μｍである。シートの厚みは、シート全体で均一の方が好ましい。
本発明の毛髪保持具と組み合わせて使用される毛髪処理剤としては、パーマ処理剤、スタイリング剤、染毛剤、トリートメント剤等が挙げられる。
【００１２】
筒状体２は、図１（ａ）に示すように、複数個（本実施形態では５個）の短筒片３が連結機構３１により長手方向に連結されて形成されている。具体的には、短い筒状の短筒片３が５個、連結機構であるミシン目３１により長手方向に連結して、該短筒片３の５倍の長さを有する筒状体２が形成されている。
このように構成された筒状体２からなる毛髪保持具１によれば、カール対象の毛髪の長さに応じて、必要により、図１（ｂ）に示すように、ミシン目３１から隣接する短筒片３間を分離して、筒状体２の長さを調整（短く）することができる。
【００１３】
例えば、長い毛髪にカールを付与する場合には、短筒片３間を分離せずにそのままの長さ（５個の短筒片３分の長さ）の筒状体２〔図１（ａ）参照〕を用いることができ、少し短めの毛髪にカールを付与する場合には、３個の短筒片３が連結された状態になるようにミシン目３１で分離して、３個の短筒片３の長さの筒状体２〔図１（ｂ）参照〕を用いることができる。更に短い毛髪にカールを付与する場合には、２個又は１個の短筒片３の長さの筒状体２（図示せず）を用いればよい。
【００１４】
筒状体２のテーバーこわさは、筒状体２に毛髪を挿通して巻回した場合に、筒状体２を円滑に巻回する観点から、０．４ｍＮ・ｍ以下が好ましく、０．３ｍＮ・ｍ以下がより好ましい。なお、テーバーこわさは、ＪＩＳ  Ｐ８１２５に規定される「こわさ試験方法」により測定されるテーバーこわさである。
【００１５】
次に、本発明の毛髪保持具の第１実施形態の一使用態様として、パーマ処理により毛髪（頭髪）に直接カールを付与する場合について、図２を参照しながら説明する。
先ず、毛髪束Ｈの長さに応じて、必要に応じ短筒片３間をミシン目３１で分離して、筒状体２を毛髪束に対応した長さに調整する。ここでは、図１（ｂ）に示す３個の短筒片３が連結された筒状体２からなる毛髪保持具１を用いる。
そして、図２（ａ）に示すように、筒状体２の一端部２１の開口部を楕円形状に開口して、該開口部から毛髪束Ｈを挿入する。そして、図２（ｂ）に示すように、毛髪束Ｈを、その先端が筒状体２の他端部２２の開口部から少しはみ出るまで、筒状体２に挿通させる。
【００１６】
毛髪束Ｈを筒状体２に挿通させた後、図２（ｃ）及び（ｄ）に示すように、筒状体２の他端部２２の開口部の側から、シート２３Ｂを外側にして、所望の巻回径で巻回し、クリップ（図示せず）等の周知の固定手段を用いて毛髪束Ｈの巻回状態を保持する。その後、筒状体２の外側からパーマ処理剤を毛髪束Ｈに付与する。
筒状体２はパーマ処理剤に対し透過性を有しているので、パーマ処理剤は筒状体２を透過して毛髪束Ｈに施される。所定時間後、筒状体２から毛髪束Ｈを挿脱し、洗髪等して、パーマ処理を完了する。
尚、筒状体２の一端部２１の開口部から毛髪束Ｈを挿入させる際に、必要に応じ、該開口部を真円状に開口した方が、毛髪束Ｈをスムーズに挿入させ易い。また、必ずしも、毛髪束Ｈの先端を筒状体２の他端部２２の開口部からはみ出させる必要はない。
【００１７】
本実施形態の毛髪保持具１によれば、毛髪の巻き上げを極めて簡単に且つ短時間で行うことができる。
そして、毛髪の長さに応じて、必要に応じ短筒片３間をミシン目３１で分離し、筒状体２の長さを短くすることができるので、筒状体２に余り部分が生じず、毛髪束に綺麗なカールを容易に付与することができる。また、パーマ処理剤等の毛髪処理剤のロスが少ない。
【００１８】
更に、筒状体２の長さを短くすることができるので、筒状体２の内部に付着した、毛髪のタンパク質や脂質の除去が容易で、筒状体２を衛生的に繰り返し使用することができる。筒状体２は、一般的に繊維状のものが多く用いられ、汚れが付着し易いものであるため、特に効果的である。
短筒片３間の連結機構がミシン目３１であるため、その形成が容易であり、短筒片３間の分離も容易である。
【００１９】
次に、本発明の毛髪保持具の別の実施形態である第２実施形態〜第４実施形態について説明する。第２実施形態〜第４実施形態については、第１実施形態とは異なる点を中心に説明し、特に説明しない点については第１実施形態についての説明が適宜適用される。第２実施形態〜第４実施形態においても、第１実施形態と同様に使用され、第１実施形態と同様の効果が奏される。
【００２０】
図３に示す第２実施形態の毛髪保持具１は、短筒片３同士を連結する連結機構が、短筒片３の長手方向端部に設けられた着脱自在な機械的係合機構からなる。本実施形態における機械的係合機構は、図３に示すように、短筒片３の両端部それぞれに周方向に１８０度離間して設けられた一対のピン結合部材３２からなる。ピン結合部材３２は、ピン３２ａと孔部３２ｂとからなる。
短筒片３の一方の端部（図面下方の端部）には、ピン３２ａが突設されており、短筒片３の他方の端部（図面上方の端部）には、ピン３２ａが挿通篏合し得る孔部３２ｂが設けられている。そのため、図３に示すように、ピン３２ａを孔部３２ａに挿通篏合させることにより、短筒片３を着脱自在に長手方向に連結することができる。
尚、短筒片３の両端部は、強度を確保するため、ピン３２ａ及び孔部３２ｂと一体的に高剛性の材料から形成されている。
【００２１】
このように構成された第２実施形態の毛髪保持具１によれば、連結機構が着脱自在な機械的係合機構からなるため、第１実施形態と同様に短筒片３間を分離して筒状体２の長さを短くでき、同様の効果を奏し得ると共に、一旦分離した短筒片３を再度連結して筒状体２の長さを長くする（元に戻す）こともできる。
【００２２】
図４に示す第３実施形態の毛髪保持具１は、短筒片３同士を連結する連結機構が、第２実施形態とは異なる機械的係合機構、具体的には、メカニカルファスナー３３からなる。メカニカルファスナー３３は、オスのメカニカルファスナー３３ａとメスのメカニカルファスナー３３ｂとからなる。
図４に示すように、短筒片３の一方の端部（図面上方の端部）には、オスのメカニカルファスナー３３ａが、短筒片３上方に向けて延設されており、短筒片３の他方の端部（図面下方の端部）には、メスのメカニカルファスナー３３ｂが、短筒片３下方に向けて延設されている。オスのメカニカルファスナー３３ａの係合面は短筒片３の内周面側（図面手前側）に形成されており、メスのメカニカルファスナー３３ｂの係合面は短筒片３の外周面側（図面奥側）に形成されている。そのため、図４に示すように、オスのメカニカルファスナー３３とメスのメカニカルファスナー３３ｂとを係合させることにより、短筒片３を着脱自在に長手方向に連結することができる。
このように構成された第３実施形態の毛髪保持具１によれば、連結機構が着脱自在な機械的係合機構からなるため、第２実施形態と同様の効果を得ることができる。
【００２３】
図５に示す第４実施形態の毛髪保持具１は、連結機構が、短筒片３とは別体な短筒片３の表面に着脱自在な連結テープ３４からなる。具体的には、図５に示すように、筒状体２を構成する短筒片３自体には連結機構が設けられていない。而して、本実施形態においては、直列に配置した短筒片３間は、その外周面に帯状の連結テープ３４が巻き付けられることにより連結されている。連結テープ３４は、短筒片３の外周面に係合され得るようになっている。
連結テープ３４としては、例えば、短筒片３の外周面が不織布等からなる場合には、オスのメカニカルファスナー等が用いられ、短筒片３の外周面が樹脂フィルム等のメカニカルファスナーが係合しない材料からなる場合には、粘着テープ等が用いられる。
このように構成された第４実施形態の毛髪保持具１によれば、連結機構が短筒片３の表面に着脱自在な連結テープ３４からなるため、第２実施形態と同様の効果を得ることができる。
【００２４】
本発明の毛髪保持具においては、複数個の筒状体が長手方向に連結されて長尺筒体を形成することができる。
具体的には、図６に示すように、図１に示す第１実施形態のような、短筒片３がミシン目３１で連結された筒状体２が、更に長手方向に複数個連結されて、長尺筒体４を形成している。このように構成された長尺筒体４によれば、被施術者の毛髪の長さに応じてミシン目３１で切断して、適当な長さの筒状体２を得ることができる。
【００２５】
以上、本発明の好ましい実施形態について説明したが、本発明の毛髪保持具は、前述した実施形態に制限されることなく、本発明の趣旨を逸脱しない限り、適宜変更が可能である。
連結機構は、複数個の短筒片を長手方向に連結することができるものであれば、前述した連結機構以外の機構を採用することができる。
１個の筒状体を構成する短筒片の個数は、筒状体の長さ及びその可変刻み等に応じて適宜設定することができる。
長尺筒体は、図６に示すようなミシン目で連結された形態に制限されず、第２実施形態〜第４実施形態に示すように筒状体が連結された形態、又はその他の形態で形成することもできる。
筒状体の断面形状は、扁平形に制限されず、例えば、略円形、略楕円形でもよい。
【図面の簡単な説明】
【００２６】
【図１】図１は、本発明の毛髪保持具の第１実施形態を示す斜視図で、（ａ）は５個の短筒片から形成された筒状体を示す図、（ｂ）は３個の短筒片から形成された筒状体を示す図である。
【図２】図２は、図１に示す実施形態の毛髪保持具の一使用態様を示す図で、（ａ）、（ｂ）、（ｃ）及び（ｄ）は、それぞれ毛髪束の巻回手順を順次示す斜視図である
【図３】図３は、本発明の毛髪保持具の第２実施形態を示す斜視図である。
【図４】図４は、本発明の毛髪保持具の第３実施形態を示す斜視図である。
【図５】図５は、本発明の毛髪保持具の第４実施形態を示す斜視図である。
【図６】図６は、本発明の毛髪保持具から形成された長尺筒体を示す斜視図である。
【符号の説明】
【００２７】
１  毛髪保持具
２  筒状体
２１  一端部
２２  他端部
２３Ａ，２３Ｂ  シート
２４  側縁部
３  短筒片
３１  ミシン目
３２  ピン結合部材
３３  メカニカルファスナー
３４  連結テープ
４  長尺筒体
Ｈ  毛髪束
【図１】
2006000148.tif 000003
【図２】
2006000148.tif 000004
【図３】
2006000148.tif 000005
【図４】
2006000148.tif 000006
【図５】
2006000148.tif 000007
【図６】
2006000148.tif 000008